(57)【特許請求の範囲】
【請求項１】
コンデンサと、
前記コンデンサの端子電圧と入力電圧とを比較する電圧比較器と、
前記端子電圧よりも前記入力電圧の方が相対的に高い場合に、前記コンデンサを間欠的に充電する充電回路と、
前記端子電圧の方が前記入力電圧よりも相対的に高い場合に、前記コンデンサから間欠的に放電電流を放出する放電回路と、
前記充電回路による充電速度と前記放電回路による放電速度を異ならせる充放電速度設定手段と、
を備える平滑回路。
【請求項２】
前記充電回路は、前記コンデンサに所定の充電電流を供給する電流供給部と、前記電流供給部による充電電流の間欠的な供給動作のタイミングを制御する第１のタイミング制御部とを含んで構成されており、
前記放電回路は、前記コンデンサから所定の放電電流を放出する電流放出部と、前記電流放出部による放電電流の間欠的な放出動作のタイミングを制御する第２のタイミング制御部とを含んで構成されており、
前記充放電速度設定手段は、前記第１および第２のタイミング制御部によって制御される充電電流の間欠的な供給時間と放電電流の間欠的な放出時間を異ならせる請求項１記載の平滑回路。
【請求項３】
前記第１および第２のタイミング制御部のそれぞれは、所定のデューティ比を有するパルス信号に基づいて前記タイミングの制御を行うスイッチを有しており、
前記充放電速度設定手段は、充電用の前記パルス信号のデューティ比と放電用の前記パルス信号のデューティ比を異ならせる請求項２記載の平滑回路。
【請求項４】
前記充放電速度設定手段は、前記電流供給部によって供給される充電電流と前記電流放出部によって放出される放電電流を異ならせる請求項２記載の平滑回路。
【請求項５】
前記電流供給部および前記電流放出部のそれぞれは、所定の基準電圧がゲートに印加されるトランジスタによって構成されており、
前記充放電速度設定手段は、充電用の前記トランジスタと放電用の前記トランジスタのゲート寸法を異ならせる請求項４記載の平滑回路。
【請求項６】
前記第１のタイミング制御部において用いられる充電用の前記パルス信号の周波数と前記第２のタイミング制御部において用いられる充電用の前記パルス信号の周波数は、入力信号の周波数の２倍よりも高い請求項３記載の平滑回路
【発明の詳細な説明】
【０００１】
技術分野
本発明は、受信機のＡＧＣ（自動利得制御）回路等に用いられる平滑回路に関する。
【０００２】
背景技術
ＡＭ受信機やＦＭ受信機等においては、入力信号レベルを調整するためにＡＧＣ回路が用いられている。このＡＧＣ回路では、信号レベルが変化したときに、この変化に追随するように緩やかに変化する信号が生成されるが、このために平滑回路が用いられる。
【０００３】
図８は、従来の平滑回路の構成を示す回路図である。図８に示す従来の平滑回路は、２つの抵抗１００、１０２とコンデンサ１０４を組み合わせて構成されている。抵抗１００の一方端に入力電圧が印加されると、抵抗１００を介してコンデンサ１０４に充電電流が流れるため、コンデンサ１０４の端子電圧が上昇する。抵抗１００の抵抗値をＲ１、コンデンサ１０４の静電容量をＣとすると、コンデンサ１０４の端子電圧が所定値に達するまでの時間ｔ１は、Ｒ１×Ｃで表すことができる。この時間ｔ１がアタック時間（Ａｔｔａｃｋ  Ｔｉｍｅ）であり、受信機等のＡＧＣ回路に用いられる平滑回路では、１０〜５０ｍｓｅｃ程度に設定されている。
【０００４】
また、抵抗１００の一方端に対する入力電圧の印加が中断されると、抵抗１０２を介してコンデンサ１０４が放電するため、コンデンサ１０４の端子電圧が低下する。抵抗１０２の抵抗値をＲ２とすると、コンデンサ１０４の端子電圧が所定値まで低下するまでの時間ｔ２は、Ｒ２×Ｃで表すことができる。この時間ｔ２がリリース時間（Ｒｅｌｅａｓｅ  Ｔｉｍｅ）であり、受信機等のＡＧＣ回路に用いられる平滑回路では、２００〜５００ｍｓｅｃ程度に設定されている。
【０００５】
ところで、上述した従来の平滑回路では、１０〜５０ｍｓｅｃ程度のアタック時間や、２００〜５００ｍｓｅｃ程度のリリース時間を実現しようとすると、抵抗１００とコンデンサ１０４の組合せや抵抗１０２とコンデンサ１０４の組合せにおいて大きな時定数を設定する必要があることから、抵抗１００、１０２、コンデンサ１０４の各素子定数が大きくなり、回路の小型化やＩＣ化が難しいという問題があった。例えば、ＩＣ化する場合に、実際に形成可能な抵抗の抵抗値は大きくても５００ＫΩ程度である。このような抵抗を用いた場合に１００ｍｓｅｃのリリース時間ｔ２を設定しようとすると、Ｃ＝ｔ２／Ｒ２＝０．２μＦとなる。しかし、ＩＣ化可能なコンデンサの静電容量値は、製造コスト等を考慮すると２０ｐＦ以内であり、結局平滑回路全体のＩＣ化は困難であって、外付けの大きなコンデンサを用いていた。
【０００６】
発明の開示
本発明は、このような点に鑑みて創作されたものであり、その目的は、回路の小型化およびＩＣ化を実現することができる平滑回路を提供することにある。
【０００７】
また、本発明の他の目的は、アタック時間とリリース時間を容易に異ならせることができる平滑回路を提供することにある。
【０００８】
本発明の平滑回路は、コンデンサと、このコンデンサの端子電圧と入力電圧とを比較する電圧比較器と、端子電圧よりも入力電圧の方が相対的に高い場合にコンデンサを間欠的に充電する充電回路と、端子電圧の方が入力電圧よりも相対的に高い場合にコンデンサから間欠的に放電電流を放出する放電回路とを備えている。コンデンサに対して間欠的な充放電が行われるため、コンデンサの静電容量を小さくした場合であっても緩やかに端子電圧が変化し、等価的に大きな時定数を設定することができる。したがって、大きな時定数を設定する場合であっても小さなコンデンサを使用することができ、回路の小型化が可能になる。また、大きな時定数を設定するために必要だった大きな抵抗やコンデンサが不要になって外付け部品を低減あるいは全くなくすことができるため、平滑回路全体あるいはほとんどの構成部品のＩＣ化が可能となる。
【０００９】
また、上述した充電回路は、コンデンサに所定の充電電流を供給する電流供給部と、電流供給部による充電電流の間欠的な供給動作のタイミングを制御する第１のタイミング制御部とを含んで構成することが望ましい。電流供給部による充電電流の供給動作のタイミングを制御することにより、コンデンサの間欠的な充電動作を容易に制御することができる。
【００１０】
また、上述した第１のタイミング制御部は、所定のデューティ比を有するパルス信号に基づいてタイミングの制御を行うスイッチを有することが望ましい。パルス信号に応じてスイッチをオンオフすることで電流供給部による充電電流の供給動作が制御されるため、パルス信号の周期やデューティ比を変更することによる充電速度等の変更が容易になる。
【００１１】
また、上述した電流供給部は、定電流回路と、この定電流回路によって生成される電流と同じ充電電流をコンデンサに供給するカレントミラー回路とを含んで構成することが望ましい。カレントミラー回路を用いることにより、定電流回路によって生成する定電流と同じ充電電流を確実にコンデンサに供給することができ、コンデンサの充電動作を安定させることができる。
【００１２】
また、上述した放電回路は、コンデンサから所定の放電電流を放出する電流放出部と、電流放出部による放電電流の間欠的な放出動作のタイミングを制御する第２のタイミング制御部とを含んで構成することが望ましい。電流放出部による放電電流の放出動作のタイミングを制御することにより、コンデンサの間欠的な放電動作を容易に制御することができる。
【００１３】
また、上述した第２のタイミング制御部は、所定のデューティ比を有するパルス信号に基づいてタイミングの制御を行うスイッチを有することが望ましい。パルス信号に応じてスイッチをオンオフすることで電流放出部による放電電流の放出動作が制御されるため、パルス信号の周期やデューティ比を変更することによる放電速度等の変更が容易になる。
【００１４】
また、上述した電流放出部は、定電流回路と、この定電流回路によって生成される電流と同じ放電電流を前記コンデンサから放出するカレントミラー回路とを含んで構成することが望ましい。カレントミラー回路を用いることにより、定電流回路によって生成する定電流と同じ放電電流を確実にコンデンサから放出することができ、コンデンサの放電動作を安定させることができる。
【００１５】
また、コンデンサに所定の充電電流を供給する電流供給部とこの電流供給部による充電電流の間欠的な供給動作のタイミングを制御する第１のタイミング制御部とを含んで充電回路を構成するとともに、コンデンサから所定の放電電流を放出する電流放出部とこの電流放出部による放電電流の間欠的な放出動作のタイミングを制御する第２のタイミング制御部とを含んで放電回路を構成したときに、第１のタイミング制御部によって制御される充電電流の供給タイミングと、第２のタイミング制御部によって制御される放電電流の放電タイミングとが重複しないこと望ましい。コンデンサに対する充放電タイミングを異ならせることにより、コンデンサを充電する動作とコンデンサを放電させる動作を確実に実施することができる。
【００１６】
また、上述した充電回路による充電速度と放電回路による放電速度を異ならせる充放電速度設定手段をさらに備えることが望ましい。充放電速度設定手段を設けることにより、コンデンサに対する充電速度と放電速度を異ならせることができるため、容易にアタック時間とリリース時間が異なる平滑回路を実現することが可能になる。
【００１７】
また、コンデンサに所定の充電電流を供給する電流供給部とこの電流供給部による充電電流の間欠的な供給動作のタイミングを制御する第１のタイミング制御部とを含んで充電回路を構成するとともに、コンデンサから所定の放電電流を放出する電流放出部とこの電流放出部による放電電流の間欠的な放出動作のタイミングを制御する第２のタイミング制御部とを含んで放電回路を構成し、充放電速度設定手段によって、第１および第２のタイミング制御部によって制御される充電電流の間欠的な供給時間と放電電流の間欠的な放出時間を異ならせることが望ましい。電流供給部による充電電流の供給動作のタイミングと電流放出部による放電電流の放出動作のタイミングを制御することにより、コンデンサの間欠的な放電動作を容易に制御することができる。しかも、充放電動作が行われる時間そのものを異ならせることにより、容易にアタック時間とリリース時間を異ならせることができる。
【００１８】
また、第１および第２のタイミング制御部のそれぞれが、所定のデューティ比を有するパルス信号に基づいてタイミングの制御を行うスイッチを有している場合に、上述した充放電速度設定手段は、充電用の前記パルス信号のデューティ比と放電用のパルス信号のデューティ比を異ならせることが望ましい。これにより、充電時間と放電時間とを異ならせる制御が容易となる。
【００１９】
また、上述した充放電速度設定手段は、電流供給部によって供給される充電電流と電流放出部によって放出される放電電流を異ならせることが望ましい。充電電流値と放電電流値とを異ならせることにより、容易にアタック時間とリリース時間を異ならせることができる。
【００２０】
また、電流供給部および電流放出部のそれぞれが、所定の基準電圧がゲートに印加されるトランジスタによって構成されている場合に、上述した充放電速度設定手段は、充電用のトランジスタと放電用のトランジスタのゲート寸法を異ならせることが望ましい。これにより、充電電流値と放電電流値とを異ならせる制御が容易となる。
【００２１】
また、上述した充放電タイミングを設定するパルス信号の周波数は、入力信号の周波数の２倍よりも高いことが望ましい。パルス信号の周波数を入力信号の周波数の２倍よりも高くすることにより、入力信号の波形を精度よくサンプリングすることが可能になる。これに対し、パルス信号の周波数を入力信号の２倍に設定すると、入力信号の振幅が０となるタイミングに丁度一致する場合があり、入力信号の波形に基づいて動作を行うことができなくなる。また、パルス信号の周波数を入力信号の２倍よりも低く設定すると、入力信号の半波長分の波形にパルス信号が１回も出力されない場合が生じるため、入力信号の波形に基づいた正確な平滑動作が不可能になる。
【００２２】
発明を実施するための最良の形態
以下、本発明を適用した一実施形態の平滑回路について、図面を参照しながら説明する。
【００２３】
〔第１の実施形態〕
図１は、第１の実施形態の平滑回路の原理ブロックを示す図である。図１に示すように、本実施形態の平滑回路は、コンデンサ１０、電圧比較器１２、充電回路１４、放電回路１６を備えている。電圧比較器１２は、コンデンサ１０の端子電圧と入力電圧とを比較し、この比較結果に応じて充電回路１４あるいは放電回路１６の動作を有効にする。充電回路１４は、間欠的に充電電流を供給することによりコンデンサ１０を充電する。例えば、この充電回路１４は、定電流回路とスイッチとを含んで構成されており、スイッチがオン状態になったときに定電流回路からコンデンサ１０に対して充電電流が供給される。また、放電回路１６は、間欠的に放電電流を流すことによりコンデンサ１０を放電する。例えば、この放電回路１６は、定電流回路とスイッチとを含んで構成されており、スイッチがオン状態になったときにコンデンサ１０から一定の電流が放出される。
【００２４】
このように、本実施形態の平滑回路は、コンデンサ１０に対して間欠的な充放電動作を行っている。このため、コンデンサ１０の静電容量を小さく設定した場合でも、緩やかにその両端電圧が変化し、大きな時定数を有する回路、すなわち大きな静電容量を有するコンデンサや大きな抵抗値を有する抵抗を使用した場合と同等の充放電特性を得ることができる。また、充電回路１４や放電回路１６では、所定の電流をコンデンサ１０に供給、あるいはコンデンサ１０から放出する制御を行うが、これらの供給、放出動作は間欠的に行われるため、その際の電流値をＩＣ化に適したある程度大きな値に設定することができる。したがって、平滑回路全体をＩＣ化することが可能になる。また、コンデンサ等の外付け部品が不要になるため、平滑回路全体を大幅に小型化することができる。
【００２５】
次に、上述した本実施形態の平滑回路の具体的な構成をその応用例とともに説明する。
図２は、ＡＧＣ回路に含まれる平滑回路の使用例を示す構成図であり、受信機において電界強度に応じた利得制御を行うＡＧＣ回路の部分的な構成が示されている。この受信機としては、ダイレクトコンバージョン受信機やその他のスーパーへテロダイン受信機などが考えられる。
【００２６】
図２において、振幅検波回路２０は、受信機のキャリア信号が入力されており、この入力されたキャリア信号に対して半波あるいは全波整流を行う。コンデンサ２２は、振幅検波回路２０によって整流された後の信号に含まれるキャリア分を取り除くためのものである。このコンデンサ２２でキャリア分を取り除くと、キャリアに振幅変調がかかっていなければ直流電圧が得られるため後段の平滑回路２４は不要となる。しかし、実際はＡＭ波に限らずＦＭ波であっても何らかの振幅変化が生じており、受信電界強度を検出したい場合には平滑回路２４が必要になる。
【００２７】
平滑回路２４は、コンデンサ２２によってキャリア分が取り除かれた信号の電圧レベルを平滑化する。平滑化された電圧は、高入力インピーダンスのバッファ２６に印加されており、このバッファ２６からＡＧＣ動作に必要な制御用ＤＣ信号が出力される。
【００２８】
図３は、平滑回路２４の具体的な構成を示す回路図である。図３に示すように、平滑回路２４は、コンデンサ１０、定電流回路４０、トランジスタ４２、４４、５０、５４、５６、スイッチ４６、５２、電圧比較器６０、アンド回路６２、６４を含んで構成されている。
【００２９】
２つのトランジスタ４２、４４によってカレントミラー回路が構成されており、定電流回路４０から出力される定電流と同じ充電電流が生成される。また、この充電電流の生成タイミングがスイッチ４６によって決定される。
【００３０】
スイッチ４６は、インバータ回路１とアナログスイッチ２とトランジスタ３によって構成されている。アナログスイッチ２は、ｐチャネルトランジスタとｎチャネルトランジスタの各ソース・ドレイン間を並列接続することにより構成されている。アンド回路６２の出力信号が直接ｎチャネルトランジスタのゲートに入力されているとともに、この出力信号の論理をインバータ回路１によって反転した信号がｐチャネルトランジスタのゲートに入力されている。したがって、このアナログスイッチ２は、アンド回路６２の出力信号がハイレベルのときにオン状態になって、反対にローレベルのときにオフ状態になる。また、トランジスタ３は、アナログスイッチ２がオフ状態のときにトランジスタ４４のゲート・ドレイン間を低抵抗で接続することにより、トランジスタ４４による電流供給動作を確実に停止させるためのものである。
【００３１】
スイッチ４６がオン状態になると、定電流回路４０が接続された一方のトランジスタ４２のゲートと他方のトランジスタ４４のゲートとが接続された状態になるため、一方のトランジスタ４２に接続された定電流回路４０によって生成される定電流とほぼ同じ電流が他方のトランジスタ４４のソース・ドレイン間にも流れる。この電流が、充電電流としてコンデンサ１０に供給される。反対に、スイッチ４６がオフ状態になると、トランジスタ４４のゲートがドレインに接続された状態になるため、この充電電流の供給が停止される。
【００３２】
上述した定電流回路４０および２つのトランジスタ４２、４４が電流供給部に対応する。スイッチ４６、アンド回路６２が第１のタイミング制御部に対応する。
【００３３】
また、上述したトランジスタ４２と定電流回路４０にトランジスタ５０を組み合わせることにより、コンデンサ１０の放電電流を設定するカレントミラー回路が構成されており、その動作状態がスイッチ５２によって決定される。スイッチ５２はスイッチ４６と同じ構成を有している。このスイッチ５２は、アンド回路６４の出力信号の論理に応じてオンオフ状態が制御されており、この出力信号がハイレベルのときにオン状態に、ローレベルのときにオフ状態になる。
【００３４】
スイッチ５２がオン状態になると、定電流回路４０が接続された一方のトランジスタ４２のゲートと他方のトランジスタ５０のゲートとが接続された状態になるため、定電流回路４０によって生成される定電流とほぼ同じ電流が他方のトランジスタ５０のソース・ドレイン間にも流れる。この電流が、コンデンサ１０に蓄積された電荷を放出する放電電流になる。
【００３５】
但し、トランジスタ５０に流れる電流をコンデンサ１０から直接取り出すことはできないため、本実施形態では、トランジスタ５０のソース側にトランジスタ５４、５６によって構成される別のカレントミラー回路が接続されている。
【００３６】
２つのトランジスタ５４、５６はゲート同士が接続されており、トランジスタ５４に上述した放電電流が流れたときに、同じ電流が他方のトランジスタ５６のソース・ドレイン間にも流れるようになっている。このトランジスタ５６は、ドレインがコンデンサ１０の高電位側の端子に接続されており、トランジスタ５６に流れる電流は、コンデンサ１０に蓄積された電荷が放出されることによって生成される。
【００３７】
上述した定電流回路４０および４つのトランジスタ４２、５０、５４、５６が電流放出部に対応する。スイッチ５２、アンド回路６４が第２のタイミング制御部に対応する。
【００３８】
また、電圧比較器６０は、プラス端子に印加されるコンデンサ１０の端子電圧と、マイナス端子に印加される平滑回路２４の入力電圧との大小比較を行う。この電圧比較器６０は、非反転出力端子と反転出力端子を有しており、プラス端子に印加されるコンデンサ１０の端子電圧の方がマイナス端子に印加される入力電圧よりも高い場合には反転出力端子からハイレベルの信号が出力され、非反転出力端子からローレベルの信号が出力される。反対に、プラス端子に印加されるコンデンサ１０の端子電圧の方がマイナス端子に印加される入力電圧よりも低い場合には反転出力端子からローレベルの信号が出力され、非反転出力端子からハイレベルの信号が出力される。
【００３９】
アンド回路６２は、一方の入力端子に所定のパルス信号が入力され、他方の入力端子に電圧比較器６０の非反転出力端子が接続されている。したがって、コンデンサ１０の端子電圧の方が平滑回路２４の入力電圧よりも低い場合に、アンド回路６２から所定のパルス信号が出力される。
【００４０】
また、アンド回路６４は、一方の入力端子に所定のパルス信号が入力され、他方の入力端子に電圧比較器６０の反転出力端子が接続されている。したがって、コンデンサ１０の端子電圧の方が平滑回路２４の入力電圧よりも高い場合に、アンド回路６４から所定のパルス信号が出力される。
【００４１】
平滑回路２４はこのような構成を有しており、次にその動作を説明する。
平滑回路２４の動作開始時にコンデンサ１０が充電されていない場合や、平滑回路２４の入力電圧が上昇傾向にある場合には、コンデンサ１０の端子電圧の方が平滑回路２４の入力電圧よりも低い状態にある。このとき、アンド回路６２からパルス信号が出力され、アンド回路６４からはパルス信号が出力されない。したがって、スイッチ４６のみが間欠的にオン状態になり、このオン状態になるタイミングで所定の充電電流がコンデンサ１０に供給される。この充電動作は、コンデンサ１０の端子電圧が平滑回路２４の入力電圧よりも相対的に高くなるまで継続される。
【００４２】
また、この充電動作によってコンデンサ１０の端子電圧が平滑回路２４の入力電圧を超えた場合や、この入力電圧が下降傾向にあってコンデンサ１０の端子電圧よりこの入力電圧の方が低い場合には、アンド回路６４からパルス信号が出力され、アンド回路６２からはパルス信号が出力されない。したがって、スイッチ５２のみが間欠的にオン状態になり、このオン状態になるタイミングで所定の放電電流がコンデンサ１０から放出される。この放電動作は、コンデンサ１０の端子電圧が平滑回路２４の入力電圧よりも相対的に低くなるまで継続される。
【００４３】
ところで、上述した平滑回路２４において、コンデンサ１０に対する充放電タイミングを設定するパルス信号（アンド回路６２、６４から出力されるパルス信号）の周波数は、電圧比較器６０の非反転入力端子に入力される入力信号の周波数の２倍よりも高い値に設定する必要がある。これにより、入力信号の波形を精度よくサンプリングして平滑動作を行うことが可能になる。これに対し、パルス信号の周波数を入力信号の２倍に設定すると、入力信号の振幅が０となるタイミングに丁度一致する場合があり、入力信号の波形に基づいて動作を行うことができなくなる。また、パルス信号の周波数を入力信号の２倍よりも低く設定すると、入力信号の半波長分の波形にパルス信号が１回も出力されない場合が生じるため、入力信号の波形に基づいた正確な平滑動作が不可能になる。
【００４４】
また、コンデンサ１０に対する充放電タイミングを設定する２種類のパルス信号は、出力タイミングが互いに重ならないようにする必要がある。コンデンサ１０に対する充放電タイミングを異ならせることにより、コンデンサ１０を充電する動作とコンデンサ１０を放電させる動作を確実に実施することができる。
【００４５】
〔第２の実施形態〕
図３に具体的な構成を示した平滑回路２４では、充電電流の供給タイミングを決定するパルス信号の周期やデューティ比と、放電電流の供給タイミングを決定するパルス信号の周期やデューティ比とを同じにしたが、これらを異ならせるようにしてもよい。例えば、図３に示したアンド回路６２に入力されるパルス信号のデューティ比よりも、アンド回路６４に入力されるパルス信号のデューティ比を小さく設定する。これにより、アタック時間よりもリリース時間を長く設定することができる。
【００４６】
図４は、第２の実施形態の平滑回路の原理ブロックを示す図である。図４に示すように、本実施形態の平滑回路１２４は、コンデンサ１０、電圧比較器１２、充電回路１４、放電回路１６、充放電速度設定部１８を備えている。図４に示した平滑回路は、図１に示した第１の実施形態の平滑回路に対して、充放電速度設定部１８が追加された点が異なっている。
【００４７】
充放電速度設定部１８は、充電回路１４によるコンデンサ１０の充電速度と放電回路１６によるコンデンサ１０の放電速度とを異ならせる設定を行う。この充放電速度設定部１８が充放電速度設定手段に対応しており、具体的な内容については後述する。
【００４８】
本実施形態の平滑回路は、充放電速度設定部１８によってコンデンサ１０に対する充電速度と放電速度が異なるように設定されている。このため、この平滑回路をＡＧＣ回路等に用いる場合のアタック時間とリリース時間を異ならせることが可能になる。
【００４９】
図５は、平滑回路１２４の具体的な構成を示す回路図である。図５に示すように、平滑回路１２４は、コンデンサ１０、定電流回路４０、トランジスタ４２、４４、５０、５４、５６、スイッチ４６、５２、電圧比較器６０、アンド回路６２、６４、分周器７０を含んで構成されている。図５に示した平滑回路１２４は、図３に示した第１の実施形態の平滑回路２４に対して、充放電速度設定部１８（充放電速度設定手段）に対応する分周器７０が追加された構成を有している。図３に示した平滑回路２４と基本的に同じ構成については同じ符号を付し、詳細な説明は省略する。
【００５０】
分周器７０は、アンド回路６２の一方の入力端子に入力されたパルス信号を所定の分周比で分周して出力する。アンド回路６４は、一方の入力端子に分周器７０から出力される所定のパルス信号が入力され、他方の入力端子に電圧比較器６０の反転出力端子が接続されている。これにより、コンデンサ１０の端子電圧の方が平滑回路１２４の入力電圧よりも小さい場合に、アンド回路６４から所定のパルス信号が出力される。
【００５１】
ところで、２つのアンド回路６２、６４から出力される２種類のパルス信号を比較すると、アンド回路６２から出力されるパルス信号のデューティ比の方がアンド回路６４から出力されるパルス信号のデューティ比よりも大きいため、
２つのアンド回路６２、６４のそれぞれから同じ時間だけパルス信号が出力された場合を考えると、単位時間当たりの充電速度の方が放電速度よりも速くなる。このため、アタック時間の方がリリース時間よりも短くなっている。
【００５２】
また、本実施形態では、電圧比較器６０の２つの出力端子のいずれか一方のみがハイレベルになるため、２つのアンド回路６２、６４から同時にパルス信号が出力されることはなく、コンデンサ１０の充電動作あるいは放電動作を確実かつ安定的に実施することができる。
【００５３】
なお、本発明は上記実施形態に限定されるものではなく、本発明の要旨の範囲内において種々の変形実施が可能である。例えば、上述した第２の実施形態では、２つのアンド回路６２、６４からデューティ比が異なるパルス信号を出力するために分周器７０を用いたが、異なるデューティ比のパルス信号を別々に生成して２つのアンド回路６２、６４のそれぞれに入力するようにしてもよい。但し、別々に生成された２種類のパルス信号は、２つのアンド回路６２、６４のそれぞれに同時に入力されないようにする必要があり、同時に入力される可能性がある場合にはいずれか一方のパルス信号の入力を強制的に制限する制限回路を設ければよい。
【００５４】
また、上述した第２の実施形態では、コンデンサ１０に対する充電速度と放電速度を異ならせるために、トランジスタ４４、５０のそれぞれがオン状態なる単位時間当たりの割合を異ならせたが、これらのトランジスタのゲート寸法を異ならせることにより、充電電流と放電電流そのものを異ならせるようにしてもよい。
【００５５】
図６は、平滑回路の変形例を示す回路図である。図６に示す平滑回路１２４Ａは、図５に示した平滑回路１２４に対して、分周器７０を削除するとともに、２つのトランジスタ４４、５０をゲート寸法を変更した２つのトランジスタ４４Ａ、５０Ａに変更した点が異なっている。
【００５６】
図７は、ＭＯＳ型のトランジスタ（ＦＥＴ）のゲート寸法を示す図である。ゲート電圧が同じであっても、ゲート幅Ｗとゲート長Ｌを変更することにより、チャネル抵抗が変化するため、ソース・ドレイン間を流れる電流は変化する。この変形例では、充電電流を多くしてアタック時間を短くしたいため、トランジスタ４４Ａのゲート幅Ｗを大きな値に、ゲート長Ｌを小さな値に設定する。一方、放電電流を少なくしてリリース時間を長くしたいため、トランジスタ５０Ａのゲート幅Ｗを小さな値に、ゲート長Ｌを大きな値に設定する。このように、トランジスタ４４Ａ、５０Ａのそれぞれゲート寸法を異ならせることによってもアタック時間とリリース時間を容易に異ならせることができる。この場合には、トランジスタ４４Ａ、５０Ａは、充電回路１４と放電回路１６の一部の構成をなすとともに、充放電速度設定手段としての機能を有する。
【００５７】
産業上の利用可能性
上述したように、本発明によれば、コンデンサに対して間欠的な充放電が行われるため、コンデンサの静電容量を小さくした場合であっても緩やかに端子電圧が変化し、等価的に大きな時定数を設定することができる。したがって、大きな時定数を設定する場合であっても小さなコンデンサを使用することができ、回路の小型化が可能になる。また、大きな時定数を設定するために必要だった大きな抵抗やコンデンサが不要になって外付け部品を低減あるいは全くなくすことができるため、平滑回路全体あるいはほとんどの構成部品のＩＣ化が可能となる。さらに、充放電速度設定手段を設けることにより、コンデンサに対する充電速度と放電速度を異ならせることができるため、容易にアタック時間とリリース時間が異なる平滑回路を実現することが可能になる。
【００５８】
【図面の簡単な説明】
図１は、第１の実施形態の平滑回路の原理ブロックを示す図、
図２は、ＡＧＣ回路に含まれる平滑回路の使用例を示す構成図、
図３は、平滑回路の具体的な構成を示す回路図、
図４は、第２の実施形態の平滑回路の原理ブロックを示す図、
図５は、平滑回路の具体的な構成を示す回路図、
図６は、平滑回路の変形例を示す回路図、
図７は、ＭＯＳ型のトランジスタのゲート寸法を示す図、
図８は、従来の平滑回路の構成を示す回路図である。
【図１】
0003999664.tif 000002
【図２】
0003999664.tif 000003
【図３】
0003999664.tif 000004
【図４】
0003999664.tif 000005
【図５】
0003999664.tif 000006
【図６】
0003999664.tif 000007
【図７】
0003999664.tif 000008
【図８】
0003999664.tif 000009